(57)【特許請求の範囲】
【請求項１】
四色変換器と、
前記四色変換器から提供された表示すべきＲＧＢＷデータを処理して、アナログ型データ信号を産出するデータ駆動器と、
順に従って走査信号を産出する走査駆動器と、
Ｒサブ画素、Ｇサブ画素、Ｂサブ画素およびＷサブ画素からなる画素が２次元マトリックス状に配列されて構成されており、前記データ駆動器から提供されたアナログ型データ信号及び前記走査駆動器から提供された走査信号によりカラー表示を行う液晶表示パネルと、からなる液晶表示装置であって、
前記四色変換器は、
元のＲＧＢデータを前記液晶表示パネルのカラー透過特性に応じた三色カラーのグレースケール値に変換し、
前記三色カラーのグレースケール値に対して前記液晶表示パネルのバックライトに応じたホワイトバランス処理を行い、
ホワイトバランス処理後の三色カラーのグレースケール値における最大値と最小値を決定し、
更に前記最小値が０よりも大きい状況において、元のＲＧＢデータ中の三つのデータが相等か否か判断し、
元のＲＧＢデータ中の三つのデータが相等である状況において、下記の式１を用いて、表示すべきＲＧＢＷデータ中の四色カラーの出力グレースケール値を算出し、
［式１］
Ｗｏ＝Ｂｉ
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
更に、前記四色変換器は、前記最小値が０よりも大きく、且つ元のＲＧＢデータ中の少なくとも二つのデータが不等である状況において、下記の式２を用いて、表示すべきＲＧＢＷデータ中の四色カラーの出力グレースケール値を算出し、
［式２］
Ｗｏ＝ＭＩＮ２（Ｒｉ，Ｇｉ，Ｂｉ）／２５５
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
更に、前記四色変換器は、前記最小値が０と等しい状況において、下記の式３を用いて、表示すべきＲＧＢＷデータ中の四色カラーの出力グレースケール値を算出するために用いられ、
［式３］
Ｗｏ＝０
Ｒｏ＝Ｒｉ
Ｇｏ＝Ｇｉ
Ｂｏ＝Ｂｉ
ここで、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表し、
ＭＡＸ（Ｒｉ，Ｇｉ，Ｂｉ）はホワイトバランス処理後の三色カラーのグレースケール値における最大値を表し、ＭＩＮ（Ｒｉ，Ｇｉ，Ｂｉ）はホワイトバランス処理後の三色カラーのグレースケール値における最小値を表し、
Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す
ことを特徴とする液晶表示装置。
【請求項２】
Ｒサブ画素、Ｇサブ画素、Ｂサブ画素およびＷサブ画素からなる画素が２次元マトリックス状に配列されて構成されたカラー表示を行う液晶表示パネルにRGBWデータを提供する四色変換器であって、
前記四色変換器は、グレースケール変換部と、ホワイトバランス部と、比較部と、第一判断部と、第二判断部と、白色決定部と、三色計算部と、を備え、
前記グレースケール変換部は、元のＲＧＢデータを受信するとともに、前記元のＲＧＢデータを前記液晶表示パネルのカラー透過特性に応じた三色カラーのグレースケール値に変換するために用いられ、
前記ホワイトバランス部は、三色カラーのグレースケール値に対して前記液晶表示パネルのバックライトに応じたホワイトバランス処理を行って、ホワイトバランス処理済みの三色カラーのグレースケール値を得るために用いられ、
前記比較部は、ホワイトバランス処理後の三色カラーのグレースケール値に対して比較を行って、三色カラーのグレースケール値における最大値と最小値を決定するために用いられ、
前記第一判断部は、前記最小値が０よりも大きいか或は等しいかを判断するために用いられ、
前記第二判断部は、前記最小値が０よりも大きいと第一判断部が判断した状況において、元のＲＧＢデータ中の三つのデータが相等か否かを判断するために用いられ、
前記白色決定部は、前記元のＲＧＢデータ中の三つのデータが相等であると第二判断部が判断した状況において、ホワイトバランス処理後の青色カラーのグレースケール値を、表示すべきＲＧＢＷデータ中の白色カラーの出力グレースケール値とするために用いられ、
前記三色計算部は、下記の式１を用いて、表示すべきＲＧＢＷデータ中の三色カラーの出力グレースケール値を算出し、
［式１］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
更に、前記白色決定部は、前記元のＲＧＢデータ中の少なくとも二つのデータが不等であると前記第二判断部が判断した状況において、下記の式２を用いて、表示すべきＲＧＢＷデータ中の白色カラーの出力グレースケール値を算出し、
［式２］
Ｗｏ＝ＭＩＮ２（Ｒｉ，Ｇｉ，Ｂｉ）／２５５
かつ、前記三色計算部は、下記の式３を用いて、表示すべきＲＧＢＷデータ中の三色カラーの出力グレースケール値を算出し、
［式３］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
更に、前記白色決定部は、前記最小値が０と等しい状況において、下記の式４を用いて、表示すべきＲＧＢＷデータ中の白色カラーの出力グレースケール値を算出し、
［式４］
Ｗｏ＝０
かつ、前記三色計算部は、下記の式５を用いて、表示すべきＲＧＢＷデータ中の三色カラーの出力グレースケール値を算出し、
［式５］
Ｒｏ＝Ｒｉ
Ｇｏ＝Ｇｉ
Ｂｏ＝Ｂｉ
ここで、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表し、
ＭＡＸ（Ｒｉ，Ｇｉ，Ｂｉ）はホワイトバランス処理後の三色カラーのグレースケール値における最大値を表し、ＭＩＮ（Ｒｉ，Ｇｉ，Ｂｉ）はホワイトバランス処理後の三色カラーのグレースケール値における最小値を表し、
Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す
ことを特徴とする四色変換器。
【請求項３】
Ｒサブ画素、Ｇサブ画素、Ｂサブ画素およびＷサブ画素からなる画素が２次元マトリックス状に配列されて構成されたカラー表示を行う液晶表示パネルにRGBWデータを提供するために、以下の手順を含むＲＧＢデータからＲＧＢＷデータへの変換方法であって、
元のＲＧＢデータを受信するとともに、前記元のＲＧＢデータを前記液晶表示パネルのカラー透過特性に応じた三色カラーのグレースケール値に変換し、このうち前記三色カラーは、赤色カラーと、緑色カラーと、青色カラーとからなり、
三色カラーのグレースケール値に対して前記液晶表示パネルのバックライトに応じたホワイトバランス処理を行って、ホワイトバランス処理済みの三色カラーのグレースケール値を取得し、
ホワイトバランス処理後の三色カラーのグレースケール値に対して比較を行って、三色カラーのグレースケール値における最大値と最小値を決定し、
前記最小値が０よりも大きいか或は等しいかを判断し、
もし前記最小値が０よりも大きいと判断した場合には、元のＲＧＢデータ中の三つのデータが相等か否かを判断し、
もし元のＲＧＢデータ中の三つのデータが相等であると判断した場合には、下記の式１を用いて、表示すべきＲＧＢＷデータ中の四色カラーの出力グレースケール値を算出し、
［式１］
Ｗｏ＝Ｂｉ
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
更に、もし前記最小値が０よりも大きいと判断し、且つ元のＲＧＢデータ中の少なくとも二つのデータが不等であると判断した場合には、下記の式２を用いて、表示すべきＲＧＢＷデータ中の四色カラーの出力グレースケール値を算出し、
［式２］
Ｗｏ＝ＭＩＮ２（Ｒｉ，Ｇｉ，Ｂｉ）／２５５
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
更に、もし前記最小値が０と等しいと判断した場合には、下記の式３を用いて、表示すべきＲＧＢＷデータ中の四色カラーの出力グレースケール値を算出し、
［式３］
Ｗｏ＝０
Ｒｏ＝Ｒｉ
Ｇｏ＝Ｇｉ
Ｂｏ＝Ｂｉ
ここで、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表し、
ＭＡＸ（Ｒｉ，Ｇｉ，Ｂｉ）はホワイトバランス処理後の三色カラーのグレースケール値における最大値を表し、ＭＩＮ（Ｒｉ，Ｇｉ，Ｂｉ）はホワイトバランス処理後の三色カラーのグレースケール値における最小値を表し、
Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す
ことを特徴とする変換方法。
【発明の詳細な説明】
【技術分野】
【０００１】
本発明は、液晶表示技術の分野に関し、特に、液晶表示装置・四色変換器及びＲＧＢデータからＲＧＢＷデータへの変換方法に関する。
【背景技術】
【０００２】
現在、例えば液晶表示パネル（ＬＣＤ）或は有機発光表示パネル（ＯＬＥＤ）を備えた表示装置の多くにおいては、赤色（Ｒ）サブ画素と、緑色（Ｇ）サブ画素と、青色（Ｂ）サブ画素とが組合されて一つの画素をなすとともに、各サブ画素のグレースケール値を制御することで、表示すべき色を混合出力してカラー画像を表示している。情報技術の発展に伴い、表示パネルに対する各種需要も増えており、高透過率・低消費電力・生成画像の質の高さなどが表示パネルに求められている。従来のＲＧＢ三原色混合による表示方式は、透過率及び混合効率がいずれも低めであるため、表示パネルの消費電力が大きくなって、表示パネルの発展を阻んでいる。このため考案されたのが、赤色（Ｒ）サブ画素・緑色（Ｇ）サブ画素・青色（Ｂ）サブ画素・第四サブ画素が組合されて一つの画素をなすものであり、これによりＲＧＢ表示パネルの表示品質が改善された。
【０００３】
一般に、加えられる第四サブ画素は白色（Ｗ）サブ画素である場合が多い。即ち、赤色（Ｒ）サブ画素・緑色（Ｇ）サブ画素・青色（Ｂ）サブ画素、及び白色（Ｗ）サブ画素が一つの画素をなしている。ＲＧＢＷ表示パネルを有する表示装置は、入力された元のＲＧＢデータを表示すべきＲＧＢＷデータに変換するとともに、ＲＧＢＷ表示パネルを駆動して表示を行う必要がある。また、元のＲＧＢデータから表示すべきＲＧＢＷデータへの従来の変換方法においては、通常、各サブ画素は関係式：Ｗ＝Ｒ＋Ｇ＋Ｂを満たす。
【発明の概要】
【発明が解決しようとする課題】
【０００４】
図１は、従来のＷサブ画素の透過分光図である。図２は、従来のＲサブ画素・Ｇサブ画素・Ｂサブ画素の透過分光図である。図１と図２を参照する。実際の状況において、バックライトモジュールが産出したバックライト（例えばブルーライト）は直接Ｗサブ画素（通常は透明フォトレジストで形成される）から出射され、各サブ画素の関係式：Ｗ＝Ｒ＋Ｇ＋Ｂを満たすことは非常に難しい。加えて、Ｗサブ画素から出射される光とＢサブ画素から出射される光は高度が近似している。この時、もしＲＧＢＷ表示パネルが白色を表示する場合には、Ｗサブ画素から出射される光とＢサブ画素から出射される光の共同作用によって、ＲＧＢＷ表示パネルの白色表示における分光が正常な範囲内から外れてしまい、ＲＧＢＷ表示パネルの白色表示における色度の値に異常が生じてしまう。
【０００５】
上述した従来の技術的問題を解決するために、本発明は、液晶表示装置・四色変換器及びＲＧＢデータからＲＧＢＷデータへの変換方法を提供することを目的とする。
【課題を解決するための手段】
【０００６】
本発明の液晶表示装置は、四色変換器と、データ駆動器と、走査駆動器と、液晶表示パネルとからなる。四色変換器は、元のＲＧＢデータを三色カラーのグレースケール値に変換し、前記三色カラーのグレースケール値に対してホワイトバランス処理を行い、ホワイトバランス処理後の三色カラーのグレースケール値における最大値と最小値を決定し、更に前記最小値が０よりも大きい状況において元のＲＧＢデータ中の三つのデータが相等か否かを判断し、元のＲＧＢデータ中の三つのデータが相等である状況において下記の式１を用いて、表示すべきＲＧＢＷデータ中の四色カラーの出力グレースケール値を算出するために用いられる。
【０００７】
［式１］
Ｗｏ＝Ｂｉ
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
【０００８】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。またデータ駆動器は、四色変換器から提供された表示すべきＲＧＢＷデータを処理して、アナログ型データ信号を産出するために用いられる。また走査駆動器は、順に従って走査信号を産出するために用いられる。また液晶表示パネルは、データ駆動器から提供されたアナログ型データ信号及び走査駆動器から提供された走査信号によりカラー表示を行うために用いられる。
【０００９】
更に、前記四色変換器は、前記最小値が０よりも大きく、且つ元のＲＧＢデータ中の少なくとも二つのデータが不等である状況において、下記の式２を用いて、表示すべきＲＧＢＷデータ中の四色カラーの出力グレースケール値を算出するために用いられる。
【００１０】
［式２］
Ｗｏ＝ＭＩＮ２（Ｒｉ，Ｇｉ，Ｂｉ）／２５５
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
【００１１】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００１２】
更に、前記四色変換器は、前記最小値が０と等しい状況において、下記の式３を用いて、表示すべきＲＧＢＷデータ中の四色カラーの出力グレースケール値を算出するために用いられる。
【００１３】
［式３］
Ｗｏ＝０
Ｒｏ＝Ｒｉ
Ｇｏ＝Ｇｉ
Ｂｏ＝Ｂｉ
【００１４】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００１５】
また、本発明が提供する四色変換器は、元のＲＧＢデータを受信するとともに前記元のＲＧＢデータを三色カラーのグレースケール値に変換するためのグレースケール変換部と、三色カラーのグレースケール値に対してホワイトバランス処理を行って、ホワイトバランス処理済みの三色カラーのグレースケール値を得るためのホワイトバランス部と、ホワイトバランス処理後の三色カラーのグレースケール値に対して比較を行って、三色カラーのグレースケール値における最大値と最小値を決定するための比較部と、前記最小値が０よりも大きいか或は等しいかを判断するための第一判断部と、前記最小値が０よりも大きいと第一判断部が判断した状況において、元のＲＧＢデータ中の三つのデータが相等か否かを判断するための第二判断部と、前記元のＲＧＢデータ中の三つのデータが相等であると第二判断部が判断した状況において、ホワイトバランス処理後の緑色カラーのグレースケール値を、表示すべきＲＧＢＷデータ中の白色カラーの出力グレースケール値とするための白色決定部と、下記の式１を用いて、表示すべきＲＧＢＷデータ中の三色カラーの出力グレースケール値を算出するための三色計算部とからなる。
【００１６】
［式１］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
【００１７】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００１８】
更に、前記白色決定部は、前記元のＲＧＢデータ中の少なくとも二つのデータが不等であると前記第二判断部が判断した状況において、下記の式２を用いて、表示すべきＲＧＢＷデータ中の白色カラーの出力グレースケール値を算出するために用いられる。
【００１９】
［式２］
Ｗｏ＝ＭＩＮ２（Ｒｉ，Ｇｉ，Ｂｉ）／２５５
【００２０】
更に、前記三色計算部は、下記の式３を用いて、表示すべきＲＧＢＷデータ中の三色カラーの出力グレースケール値を算出するために用いられる。
【００２１】
［式３］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
【００２２】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００２３】
更に、前記白色決定部は、前記最小値が０と等しい状況において、下記の式４を用いて、表示すべきＲＧＢＷデータ中の白色カラーの出力グレースケール値を算出するために用いられる。
【００２４】
［式４］
Ｗｏ＝０
【００２５】
更に、前記三色計算部は、下記の式５を用いて、表示すべきＲＧＢＷデータ中の三色カラーの出力グレースケール値を算出するために用いられる。
【００２６】
［式５］
Ｒｏ＝Ｒｉ
Ｇｏ＝Ｇｉ
Ｂｏ＝Ｂｉ
【００２７】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００２８】
また、本発明が提供するＲＧＢデータからＲＧＢＷデータへの変換方法は、以下の手順を含む。元のＲＧＢデータを受信するとともに、前記元のＲＧＢデータを三色カラーのグレースケール値に変換する。このうち、前記三色カラーは、赤色カラーと、緑色カラーと、青色カラーとからなる。
三色カラーのグレースケール値に対してホワイトバランス処理を行って、ホワイトバランス処理済みの三色カラーのグレースケール値を得る。ホワイトバランス処理後の三色カラーのグレースケール値に対して比較を行って、三色カラーのグレースケール値における最大値と最小値を決定する。
前記最小値が０よりも大きいか或は等しいかを判断する。もし前記最小値が０よりも大きいと判断した場合には、元のＲＧＢデータ中の三つのデータが相等か否かを判断する。もし元のＲＧＢデータ中の三つのデータが相等であると判断した場合には、下記の式１を用いて、表示すべきＲＧＢＷデータ中の四色カラーの出力グレースケール値を算出する。
【００２９】
［式１］
Ｗｏ＝Ｂｉ
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
【００３０】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００３１】
更に、もし前記最小値が０よりも大きいと判断し、且つ元のＲＧＢデータ中の少なくとも二つのデータが不等であると判断した場合には、下記の式２を用いて、表示すべきＲＧＢＷデータ中の四色カラーの出力グレースケール値を算出する。
【００３２】
［式２］
Ｗｏ＝ＭＩＮ２（Ｒｉ，Ｇｉ，Ｂｉ）／２５５
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
【００３３】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００３４】
更に、もし前記最小値が０と等しいと判断した場合には、下記の式３を用いて、表示すべきＲＧＢＷデータ中の四色カラーの出力グレースケール値を算出する。
【００３５】
［式３］
Ｗｏ＝０
Ｒｏ＝Ｒｉ
Ｇｏ＝Ｇｉ
Ｂｏ＝Ｂｉ
【００３６】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【発明の効果】
【００３７】
本発明により、液晶表示パネルの表示時において各サブ画素の関係式Ｗ＝Ｒ＋Ｇ＋Ｂを満たすことが可能であるとともに、液晶表示パネルの白色表示における分光が正常な範囲内に収まり、且つ白色表示における色度の値が正常になる。
【図面の簡単な説明】
【００３８】
図面を参照しつつ以下で説明することにより、本発明の実施例の上述及び他方面での形態、特徴や長所について更に詳らかにする。
【図１】従来のＷサブ画素の透過分光図である。
【図２】従来のＲサブ画素・Ｇサブ画素・Ｂサブ画素の透過分光図である。
【図３】本発明の実施例における液晶表示装置を示したブロック図である。
【図４】本発明の実施例における液晶表示パネルを示した構造図である。
【図５】本発明の実施例における四色変換器を示したブロック図である。
【図６】本発明の実施例におけるＲＧＢデータからＲＧＢＷデータへの変換方法を示したフロー図である。
【発明を実施するための形態】
【００３９】
以下では、図面を参照しつつ本発明の実施例について詳述する。しかしながら、様々な形態によって本発明を実施することが可能であり、本発明はここで記述する具体的な実施例に限定されると見なされるべきではない。ここで示す実施例は、あくまで本発明の原理と実際の使用について説明するためのものであり、これにより本分野の技術者は、本発明の種々の実施例を理解するとともに、想定される特定の使用に適う各種の変更を行うことが出来る。
【００４０】
（実施例１）
図３は、本発明の実施例における液晶表示装置を示したブロック図である。図４は、本発明の実施例における液晶表示パネルを示した構造図である。図５は、本発明の実施例における四色変換器を示したブロック図である。
【００４１】
図３と図４を参照する。液晶表示パネル１は、行方向に沿って延伸した走査線Ｇ１〜Ｇｍ（このうち、ｍは自然数である）と、列方向に沿って延伸したデータ線Ｓ１〜Ｓｎ（このうち、ｎは自然数である）とからなる。走査線Ｇ１〜Ｇｍは、いずれも走査駆動器２と接続される。データ線Ｓ１〜Ｓｎは、いずれもデータ駆動器３と接続される。
【００４２】
各赤色（Ｒ）サブ画素・緑色（Ｇ）サブ画素・青色（Ｂ）サブ画素或は白色（Ｗ）サブ画素は、走査線ＧｉとＧｉ＋１（このうち、ｉは１〜ｍである）と、データ線ＳｊとＳｊ＋１（このうち、ｊは１〜ｎである）によって定められた各エリア中に設けられる。このうち、一つの赤色（Ｒ）サブ画素と、一つの緑色（Ｇ）サブ画素と、一つの青色（Ｂ）サブ画素と、一つの白色（Ｗ）サブ画素は、一つの画素をなす。
【００４３】
薄膜トランジスタ（ＴＦＴ）Ｑｉｊは、走査線Ｇｉとデータ線Ｓｊの各交差箇所の近くに設けられる。
【００４４】
更に、走査線Ｇｉは薄膜トランジスタＱｉｊのゲートと接続され、データ線Ｓｊは薄膜トランジスタＱｉｊのソースと接続され、各サブ画素（Ｒ・Ｇ・Ｂ或はＷサブ画素）の画素電極はそれぞれ対応する薄膜トランジスタＱｉｊのドレインと接続される。
【００４５】
各サブ画素の画素電極と相対するコモン電極は、コモン電圧回路（図示せず）と接続される。
【００４６】
走査駆動器２とデータ駆動器３は、液晶表示パネル１の周囲に設けられる。四色変換器４は、データ駆動器３と接続される。四色変換器４は元のＲＧＢデータを受信するとともに、前記元のＲＧＢデータを用いて表示すべきＲＧＢＷデータを求める。元のＲＧＢデータは、例えば外部ホスト、或はグラフィックコントローラ（図示せず）によって提供される。データ駆動器３は、四色変換器４から送られた表示すべきＲＧＢＷデータを受信・処理して、アナログ型データ信号（例えばアナログ電圧）を産出するとともにデータ線Ｓ１〜Ｓｎに提供する。走査駆動器２は、走査線Ｇ１〜Ｇｍの順に従って複数個の走査信号を提供する。データ駆動器３と走査駆動器２がそれぞれアナログ型データ信号と走査信号を液晶表示パネル１に提供すると同時に、液晶表示パネル１はバックライトモジュール（図示せず）から提供されたバックライト（例えばブルーライト）によってカラー表示を行う。
【００４７】
四色変換器４は、グレースケール変換部４１と、ホワイトバランス部４２と、比較部４３と、第一判断部４４と、白色決定部４５と、三色計算部４６と、第二判断部４７とからなる。
【００４８】
グレースケール変換部４１は、元のＲＧＢデータを受信するとともに、前記元のＲＧＢデータを三色カラーのグレースケール値、即ち赤色（Ｒ）カラーのグレースケール値・緑色（Ｇ）カラーのグレースケール値・青色（Ｂ）カラーのグレースケール値に変換する。
【００４９】
ホワイトバランス部４２は、グレースケール変換部４１から三色カラーのグレースケール値を受信するとともに、三色カラーのグレースケール値に対してホワイトバランス処理を行うことにより、ホワイトバランス処理済みの三色カラーのグレースケール値を得る。ここで、Ｒｉはホワイトバランス処理後のＲカラーのグレースケール値を表し、Ｇｉはホワイトバランス処理後のＧカラーのグレースケール値を表し、Ｂｉはホワイトバランス処理後のＢカラーのグレースケール値を表す。
【００５０】
比較部４３は、ホワイトバランス部４２からホワイトバランス処理後の三色カラーのグレースケール値を受信するとともに、受信したホワイトバランス処理後の三色カラーのグレースケール値に対して比較を行って、ホワイトバランス処理後の三色カラーのグレースケール値における最大値と最小値を決定する。このうち、前記最大値はホワイトバランス処理後の三色カラーのグレースケール値における最大値であるとともに、ＭＡＸ（Ｒｉ，Ｇｉ，Ｂｉ）と表される。前記最小値はホワイトバランス処理後の三色カラーのグレースケール値における最小値であるとともに、ＭＩＮ（Ｒｉ，Ｇｉ，Ｂｉ）と表される。
【００５１】
第一判断部４４は、比較部４３から最小値ＭＩＮ（Ｒｉ，Ｇｉ，Ｂｉ）を受信するとともに、受信した最小値ＭＩＮ（Ｒｉ，Ｇｉ，Ｂｉ）が０よりも大きいか或は等しいかを判断する。最小値ＭＩＮ（Ｒｉ，Ｇｉ，Ｂｉ）が０よりも大きいと第一判断部４４が判断した時、第二判断部４７は元のＲＧＢデータを受信するとともに、元のＲＧＢデータ中の三つのデータが相等か否かを判断する。即ち、第二判断部４７は元のＲデータ・元のＧデータ・元のＢデータの三者が相等か否かを判断し、これにより元のＲＧＢデータが白色カラーデータであるか否かを判断する。
【００５２】
もし、元のＲデータ・元のＧデータ・元のＢデータの三者が相等であると第二判断部４７が判断した場合には、元のＲＧＢデータが白色カラーデータであることが決定する。白色決定部４５は、ホワイトバランス部４２からホワイトバランス処理後のＢカラーのグレースケール値を受信するとともに、この値を表示すべきＲＧＢＷデータ中のＷカラーの出力グレースケール値とする。即ち、Ｗｏ＝Ｂｉであり、このうちＷｏは表示すべきＲＧＢＷデータ中のＷカラーの出力グレースケール値を表す。
【００５３】
三色計算部４６は、白色決定部４５から表示すべきＲＧＢＷデータ中のＷカラーの出力グレースケール値を受信し、ホワイトバランス部４２からホワイトバランス処理後の三色カラーのグレースケール値を受信し、比較部４３から最大値ＭＡＸ（Ｒｉ，Ｇｉ，Ｂｉ）を受信するとともに、受信したこれらの、表示すべきＲＧＢＷデータ中のＷカラーの出力グレースケール値と、ホワイトバランス処理後の三色カラーのグレースケール値と、最大値ＭＡＸ（Ｒｉ，Ｇｉ，Ｂｉ）とに基づき、表示すべきＲＧＢＷデータ中のＲカラーの出力グレースケール値・Ｇカラーの出力グレースケール値・Ｂカラーの出力グレースケール値を算出する。三色計算部４６は、下記の式１を用いて表示すべきＲＧＢＷデータ中の三色（Ｒ・Ｇ・Ｂ）カラーの出力グレースケール値を算出する。
【００５４】
［式１］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
【００５５】
このうち、Ｒｏは表示すべきＲＧＢＷデータ中のＲカラーの出力グレースケール値を表し、Ｇｏは表示すべきＲＧＢＷデータ中のＧカラーの出力グレースケール値を表し、Ｂｏは表示すべきＲＧＢＷデータ中のＢカラーの出力グレースケール値を表す。
【００５６】
最小値ＭＩＮ（Ｒｉ，Ｇｉ，Ｂｉ）が０よりも大きいと第一判断部４４が判断した時に、もし元のＲＧＢデータが不等であると第二判断部４７が判断した場合、即ち元のＲデータ・元のＧデータ・元のＢデータ中の少なくとも二つのデータが不等である場合には、元のＲＧＢデータが白色カラーデータではないことが決定する。白色決定部４５は、比較部４３から最大値ＭＡＸ（Ｒｉ，Ｇｉ，Ｂｉ）を受信するとともに、下記の式２を用いて表示すべきＲＧＢＷデータ中のＷカラーの出力グレースケール値を算出する。
【００５７】
［式２］
Ｗｏ＝ＭＩＮ２（Ｒｉ，Ｇｉ，Ｂｉ）／２５５
【００５８】
このうち、Ｗｏは表示すべきＲＧＢＷデータ中のＷカラーの出力グレースケール値を表す。
【００５９】
三色計算部４６は、白色決定部４５から表示すべきＲＧＢＷデータ中のＷカラーの出力グレースケール値を受信し、ホワイトバランス部４２からホワイトバランス処理後の三色カラーのグレースケール値を受信し、比較部４３から最大値ＭＡＸ（Ｒｉ，Ｇｉ，Ｂｉ）を受信するとともに、受信したこれらの、表示すべきＲＧＢＷデータ中のＷカラーの出力グレースケール値と、ホワイトバランス処理後の三色カラーのグレースケール値と、最大値ＭＡＸ（Ｒｉ，Ｇｉ，Ｂｉ）とに基づき、表示すべきＲＧＢＷデータ中のＲカラーの出力グレースケール値・Ｇカラーの出力グレースケール値・Ｂカラーの出力グレースケール値を算出する。三色計算部４６は、下記の式３を用いて表示すべきＲＧＢＷデータ中の三色（Ｒ・Ｇ・Ｂ）カラーの出力グレースケール値を算出する。
【００６０】
［式３］
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
【００６１】
最小値ＭＩＮ（Ｒｉ，Ｇｉ，Ｂｉ）が０と等しいと第一判断部４４が判断した時、白色決定部４５は、表示すべきＲＧＢＷデータ中のＷカラーの出力グレースケール値を０に決定する。即ち、Ｗｏ＝０であり、このうちＷｏは表示すべきＲＧＢＷデータ中のＷカラーの出力グレースケール値を表す。
【００６２】
三色計算部４６は、ホワイトバランス部４２からホワイトバランス処理後の三色カラーのグレースケール値を受信するとともに、受信したホワイトバランス処理後の三色カラーのグレースケール値に基づいて、表示すべきＲＧＢＷデータ中のＲカラーの出力グレースケール値・Ｇカラーの出力グレースケール値・Ｂカラーの出力グレースケール値を算出する。三色計算部４６は、下記の式４を用いて三色（Ｒ・Ｇ・Ｂ）カラーの出力グレースケール値を算出する。
【００６３】
［式４］
Ｒｏ＝Ｒｉ
Ｇｏ＝Ｇｉ
Ｂｏ＝Ｂｉ
【００６４】
（実施例２）
図６は、本発明の実施例におけるＲＧＢデータからＲＧＢＷデータへの変換方法のフロー図である。
【００６５】
図６を参照する。手順６０１では、元のＲＧＢデータを受信するとともに、前記元のＲＧＢデータを三色カラーのグレースケール値に変換する。このうち、前記三色カラーは赤色カラーと、緑色カラーと、青色カラーとからなる。
【００６６】
手順６０２では、三色カラーのグレースケール値に対してホワイトバランス処理を行って、ホワイトバランス処理済みの三色カラーのグレースケール値を得る。
【００６７】
手順６０３では、ホワイトバランス処理後の三色カラーのグレースケール値に対して比較を行って、三色カラーのグレースケール値における最大値と最小値を決定する。
【００６８】
手順６０４では、前記最小値が０よりも大きいか或は等しいかを判断する。もし前記最小値が０よりも大きいと判断した場合には、手順６０５を行う。もし前記最小値が０と等しいと判断した場合には、手順６０８を行う。
【００６９】
手順６０５では、元のＲＧＢデータ中の三つのデータが相等か否かを判断する。もし元のＲＧＢデータ中の三つのデータが相等であると判断した場合には、手順６０６を行う。もし元のＲＧＢデータ中の少なくとも二つのデータが不等であると判断した場合には、手順６０７を行う。
【００７０】
手順６０６では、下記の式５を用いて、表示すべきＲＧＢＷデータ中の四色カラーの出力グレースケール値を算出する。
【００７１】
［式５］
Ｗｏ＝Ｂｉ
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝０
【００７２】
このうち、Ｒｏは表示すべきＲＧＢＷデータ中の赤色カラーの出力グレースケール値を表し、Ｇｏは表示すべきＲＧＢＷデータ中の緑色カラーの出力グレースケール値を表し、Ｂｏは表示すべきＲＧＢＷデータ中の青色カラーの出力グレースケール値を表し、Ｗｏは表示すべきＲＧＢＷデータ中の白色カラーの出力グレースケール値を表す。ＭＡＸ（Ｒｉ，Ｇｉ，Ｂｉ）はホワイトバランス処理後の三色カラーのグレースケール値における最大値を表し、Ｒｉはホワイトバランス処理後の赤色カラーのグレースケール値を表し、Ｇｉはホワイトバランス処理後の緑色カラーのグレースケール値を表し、Ｂｉはホワイトバランス処理後の青色カラーのグレースケール値を表す。
【００７３】
手順６０７では、下記の式６を用いて、表示すべきＲＧＢＷデータ中の四色カラーの出力グレースケール値を算出する。
【００７４】
［式６］
Ｗｏ＝ＭＩＮ２（Ｒｉ，Ｇｉ，Ｂｉ）／２５５
Ｒｏ＝Ｒｉ×Ｗｏ／ＭＡＸ（Ｒｉ，Ｇｉ，Ｂｉ）＋Ｒｉ−Ｗｏ
Ｇｏ＝Ｇｉ×Ｗｏ／ＭＡＸ（Ｒｉ，Ｇｉ，Ｂｉ）＋Ｇｉ−Ｗｏ
Ｂｏ＝Ｂｉ×Ｗｏ／ＭＡＸ（Ｒｉ，Ｇｉ，Ｂｉ）＋Ｂｉ−Ｗｏ
【００７５】
手順６０８では、下記の式７を用いて、表示すべきＲＧＢＷデータ中の四色カラーの出力グレースケール値を算出する。
【００７６】
［式７］
Ｗｏ＝０
Ｒｏ＝Ｒｉ
Ｇｏ＝Ｇｉ
Ｂｏ＝Ｂｉ
【００７７】
総じて言えば、本発明の実施例によって、液晶表示パネルの表示時に各サブ画素の関係式Ｗ＝Ｒ＋Ｇ＋Ｂを満たすことが可能になる。加えて、液晶表示パネルの白色表示における分光が正常な範囲内に収まり、且つ白色表示における色度の値が正常になる。
【００７８】
以上では特定の実施例を示して本発明について説明した。しかし、本分野の技術者であれば理解されるように、特許請求及びその同等物によって定められる本発明の構想と範囲内において、形式や細部の様々な変更を行うことが可能である。
【符号の説明】
【００７９】
１          表示パネル
２          走査駆動器
３          データ駆動器
４          四色変換器
４１        グレースケール変換部
４２        ホワイトバランス部
４３        比較部
４４        第一判断部
４５        白色決定部
４６        三色計算部
４７        第二判断部
Ｇ１〜Ｇｍ  走査線
Ｓ１〜Ｓｎ  データ線
Ｑｉｊ      薄膜トランジスタ
【図１】
0006375437.tif 000002
【図２】
0006375437.tif 000003
【図３】
0006375437.tif 000004
【図４】
0006375437.tif 000005
【図５】
0006375437.tif 000006
【図６】
0006375437.tif 000007